(57)【要約】【課題】４〜５０ｍｍ幅の狭い範囲に耐摩耗性や光沢性に優れる模様を適切に印刷することができ、意匠性や装飾性を高めて再度使用することができ、投資額を低減して多品種小ロットの要請に対応することが可能な結束帯及びその製造方法を提供する。【解決手段】一対の樹脂層１を対向させてその中央部間に屈曲可能なワイヤ２０を挟持させ、一対の樹脂層１を接着した結束帯であり、一対の樹脂層１をそれぞれポリエチレンテレフタレート製の樹脂フィルム２とし、一方の樹脂フィルム２の表面に模様１０を紫外線硬化型インキによりフレキソ印刷するとともに、フレキソ印刷した模様１０に紫外線を照射し、一対の樹脂フィルム２の対向する裏面に接着層３をそれぞれ積層形成し、各樹脂フィルム２を細長い紙片形に形成してその幅を４〜５０ｍｍ以下とする。【選択図】図４
2013052891.tif 000002
【特許請求の範囲】
【請求項１】
一対の樹脂層を対向させてその間に屈曲可能なワイヤを挟み、一対の樹脂層を接着した結束帯であって、
一対の樹脂層をそれぞれポリエチレンテレフタレート製の樹脂フィルムとし、この一対の樹脂フィルムの少なくともいずれか一方の表面に模様を紫外線硬化型インキによりフレキソ印刷するとともに、フレキソ印刷した模様に紫外線を照射し、一対の樹脂フィルムの相対向する対向面に接着層をそれぞれ設け、各樹脂フィルムを細長い略紙片形に形成してその幅を４〜５０ｍｍ以下としたことを特徴とする結束帯。
【請求項２】
一対の樹脂フィルムにそれぞれ着色を施し、この一対の樹脂フィルムの両端部に略Ｖ字形の切り欠きをそれぞれ形成して各切り欠きの谷部を一対の樹脂フィルムの略中央部に位置させ、一対の切り欠きの谷部間にワイヤを伸ばして介在させた請求項１記載の結束帯。
【請求項３】
請求項１又は２記載の結束帯の製造方法であって、長い一対の樹脂フィルムのうち、少なくともいずれか一方の樹脂フィルム表面に模様を紫外線硬化型インキによりフレキソ印刷し、このフレキソ印刷した模様に紫外線を照射し、一対の樹脂フィルムの接着層を対向させてその間に屈曲可能なワイヤを挟持させ、その後、一対の樹脂フィルムを接着層により接着することを特徴とする結束帯の製造方法。
【発明の詳細な説明】
【技術分野】
【０００１】
本発明は、菓子やパン、ギフト品を収納した袋の結束等に使用される結束帯及びその製造方法に関するものである。
【背景技術】
【０００２】
従来、複数の物品をまとめて結束する場合には結束具が利用されている（特許文献１、２、３参照）。この結束具には様々な種類があるが、その一つとして、ビニ帯と呼ばれる結束帯があげられる（特許文献４、５参照）。
この種の結束帯は、図示しないが、対向して積層接着される一対の樹脂層を備え、この一対の樹脂層がそれぞれ細長い矩形に形成され、各樹脂層の幅が４〜５０ｍｍ以下に設定されており、せんべいやチョコレート、パンを収納した袋の口元の結束に使用されている。
【０００３】
ところで、結束帯には、必要に応じて様々な模様が印刷されることがある。例えば、会社の創立記念日に記念品をプレゼントする場合、会社や商店の社名、電話番号等の情報を宣伝する場合、クリスマスやバレンタイン用の菓子を販売する場合等には、文字、絵文字、図形、記号等が印刷されることがある。このような模様の印刷に際しては、従来、高価で重いシリンダからなる銅版や彫刻機等によるグラビア印刷法が用いられている。
【先行技術文献】
【特許文献】
【０００４】
【特許文献１】特開２００２‐２７７３号公報
【特許文献２】特開２００８‐２９２６３９号公報
【特許文献３】特開平８‐９１３６３号公報
【特許文献４】特開２００５‐４７５０８号公報
【特許文献５】特開２０００‐１１８５５５号公報
【発明の概要】
【発明が解決しようとする課題】
【０００５】
従来における結束帯は、以上のように模様を印刷する場合に、グラビア印刷する手法が用いられ、模様の耐摩擦性が低いので、模様が擦れて色落ちしたり、経時変色するおそれが少なくなく、４〜５０ｍｍ幅の狭い範囲に耐摩耗性に優れる模様を適切に印刷することができないという問題がある。また、グラビア印刷法では、データをやり取りしながら模様を決定した後に、高価な銅版を製作するので、短期の印刷に支障を来たし、初期投資額を低減することができないという問題もある。
【０００６】
また、結束帯を手にした者の中には、後日何らかの用途に結束帯を利用したいと要望する者（例えば、お菓子やお土産品を袋に入れて友人に贈る女性等）が少なくないが、結束帯の意匠性や装飾性が低い場合には、高級感や華やかさに欠け、再度の使用を躊躇うおそれがある。
【０００７】
さらに、印刷に要する初期投資額の低減が期待できない関係上、結束帯を大量に製造して投資額を回収しなければならないが、それでは、少量の結束帯の製造で十分という顧客のニーズ、すなわち、多品種小ロットの要請に対応することができない。例えば、結束帯に模様をグラビア印刷する場合、１００万本以上製造することが少なくないが、指定の期日に特定の地域の小売店が価格を引き下げて商品を販売するときには、１万本〜１０万本程度あれば十分であり、多数の結束帯が不用化し、不経済となる。
【０００８】
本発明は上記に鑑みなされたもので、４〜５０ｍｍ幅の狭い範囲に耐摩耗性や光沢性に優れる模様を適切に印刷することができ、意匠性や装飾性を高めて再度の使用を促すこともでき、投資額を低減して多品種小ロットの要請に対応することが可能な結束帯及びその製造方法を提供することを目的としている。
【課題を解決するための手段】
【０００９】
本発明においては上記課題を解決するため、一対の樹脂層を対向させてその間に屈曲可能なワイヤを挟み、一対の樹脂層を接着したものであって、
一対の樹脂層をそれぞれポリエチレンテレフタレート製の樹脂フィルムとし、この一対の樹脂フィルムの少なくともいずれか一方の表面に模様を紫外線硬化型インキによりフレキソ印刷するとともに、フレキソ印刷した模様に紫外線を照射し、一対の樹脂フィルムの相対向する対向面に接着層をそれぞれ設け、各樹脂フィルムを細長い略紙片形に形成してその幅を４〜５０ｍｍ以下としたことを特徴としている。
【００１０】
なお、一対の樹脂フィルムにそれぞれ着色を施し、この一対の樹脂フィルムの両端部に略Ｖ字形の切り欠きをそれぞれ形成して各切り欠きの谷部を一対の樹脂フィルムの略中央部に位置させ、一対の切り欠きの谷部間にワイヤを伸ばして介在させることができる。
また、樹脂フィルムに、アルミ蒸着紙あるいはラミネート用ペーパーを接着し、アルミ蒸着紙あるいはラミネート用ペーパーの表面に模様を紫外線硬化型インキによりフレキソ印刷して紫外線を照射することもできる。
【００１１】
また、本発明においては上記課題を解決するため、請求項１又は２記載の結束帯の製造方法であって、
長い一対の樹脂フィルムのうち、少なくともいずれか一方の樹脂フィルム表面に模様を紫外線硬化型インキによりフレキソ印刷し、このフレキソ印刷した模様に紫外線を照射し、一対の樹脂フィルムの接着層を対向させてその間に屈曲可能なワイヤを挟持させ、その後、一対の樹脂フィルムを接着層により接着することを特徴としている。
【００１２】
なお、連続した樹脂フィルムを一対用意し、この一対の樹脂フィルムの裏面に接着層をそれぞれ積層する工程、一対の樹脂フィルムのうち、一方の樹脂フィルムの表面に模様を紫外線硬化型インキによりフレキソ印刷し、この模様に紫外線を照射して硬化させる工程、対向する一対のロールに樹脂フィルムをそれぞれ巻回し、これら一対の樹脂フィルムの対向する接着層間にワイヤを挿入するとともに、各ロールを回転させて一対の樹脂フィルムの接着層をワイヤを介して積層し、一対の樹脂フィルムをオーブンに通して加熱加圧することにより、一対の樹脂フィルムを接着層により接着して一体化し、この一体化した一対の樹脂フィルムを所定の幅にスリットし、その後、スリットされた細長い一対の樹脂フィルムを所定の大きさ・長さにカットしてその両端部に切り欠きをそれぞれ形成する工程とを含むことができる。
【００１３】
ここで、特許請求の範囲における樹脂フィルムの表面に模様を紫外線硬化型インキによりフレキソ印刷する場合、樹脂フィルムの表面に模様を紫外線硬化型インキにより直接フレキソ印刷しても良いし、樹脂フィルムの表面に他基材を積層し、この他基材の表面に模様を紫外線硬化型インキで間接的にフレキソ印刷しても良い。樹脂フィルムの表面には、流動性の樹脂を塗布して模様を保護する光透過性の保護層を積層形成することができる。
【００１４】
模様には、少なくとも必要数の文字、絵文字、図形、記号、又はこれらと色彩との組み合わせが含まれる。紫外線硬化型インキは、カチオン重合型の採用が好ましい。また、ワイヤは、一対の樹脂層の中央部間に挟んでも良いし、一対の樹脂層の間に複数本挟んでも良い。さらに、本発明に係る結束帯は、ラミネート法により製造するのが最適である。
【００１５】
本発明によれば、高価な銅版等を省略可能なフレキソ印刷法により模様を印刷し、この模様に紫外線を照射してその皮膜の強度を向上させ、模様を剥がれにくくする。また、紫外線硬化型インキを使用して模様を短時間で硬化させるので、結束帯の納期短縮を実現することができる。また、ポリエチレンテレフタレート製の樹脂フィルムを使用してフレキソ印刷を施すので、高級感等を醸し出す光沢を確保でき、結束帯の意匠性や装飾性を向上させることが可能になる。
【発明の効果】
【００１６】
本発明によれば、４〜５０ｍｍ幅の狭い範囲に耐摩耗性や光沢性に優れる模様を適切に印刷することができるという効果がある。また、意匠性や装飾性を高めて再度使用することもでき、しかも、投資額を低減して多品種小ロットの要請に対応することが可能になる。
【００１７】
また、請求項２記載の発明によれば、一対の切り欠きの谷部間にワイヤを位置させて結束帯の全体形状を秩序化するので、例え結束帯を捩って包装しても、リボンを連想させる結束帯の形状が崩れ、美観を損ねることが少ない。したがって、結束帯の意匠性、審美性、装飾性を向上させ、高級感や上質感、艶やかさ等を満足させることができる。
【図面の簡単な説明】
【００１８】
【図１】本発明に係る結束帯の実施形態における使用状態を模式的に示す斜視説明図である。
【図２】本発明に係る結束帯の実施形態を模式的に示す表面説明図である。
【図３】本発明に係る結束帯の実施形態を模式的に示す裏面説明図である。
【図４】本発明に係る結束帯の実施形態を模式的に示す断面説明図である。
【図５】本発明に係る結束帯の製造方法の実施形態を模式的に示す斜視説明図である。
【発明を実施するための形態】
【００１９】
以下、図面を参照して本発明の実施形態を説明すると、本実施形態における結束帯は、図１ないし図５に示すように、相対向して接着される一対の樹脂層１と、この一対の樹脂層１の間に挟持される屈曲可能なワイヤ２０とを備え、一対の樹脂層１をそれぞれ優れた光沢を有する所定の樹脂フィルム２とし、一方の樹脂フィルム２に模様１０を摩擦等の耐性に優れる紫外線硬化型インキで印刷し、その後、模様１０に紫外線を照射するようにしている。
【００２０】
一対の樹脂層１は、図４に示すように、それぞれ耐熱性、耐寒性、保香性、光沢性等に優れるポリエチレンテレフタレート製の樹脂フィルム２からなり、この一対の樹脂フィルム２の相対向する裏面に接着層３がそれぞれ積層形成されており、この一対の接着層３がワイヤ２０を介して接着される。
【００２１】
一対の樹脂フィルム２は、図１ないし図３に示すように、意匠性向上の観点から、例えば金色、銀色、桃色、朱色、緑色、赤色等の着色がそれぞれ施され、両端部にリボンを連想させるＶ字形の切り欠き４がそれぞれ形成されており、各切り欠き４の谷部５が一対の樹脂フィルム２の略中央部に位置する。
【００２２】
各樹脂フィルム２は、細長い矩形の紙片形に形成され、菓子やパン、クッキー等を収納した袋６の口元のツイスト包装に要する大きさに形成される。具体的には、長さ１０〜１５ｃｍ、幅４〜５０ｍｍ以下、好ましくは幅４ｍｍ、８ｍｍ、１０ｍｍ、１２ｍｍの大きさに設定される。また、接着層３は、例えばアクリル系やポリエチレン系の接着剤が塗布して乾燥硬化したり、別体の接着フィルムの積層により形成される。
【００２３】
模様１０は、図２や図４に示すように、例えば着色された所定の文字と図形からなり、一方の樹脂フィルム２表面の中央部等に紫外線硬化型インキにより適宜フレキソ印刷され、紫外線照射装置からの紫外線の照射により短時間で硬化する。紫外線硬化型インキは、着色材、プレポリマーとモノマーからなる造膜成分、この造膜成分を硬化させる光重合開始剤、ワックス等の補助剤等により調製され、選択的に着色材を分散させる顔料分散剤や重合禁止剤が少量添加される。
【００２４】
紫外線硬化型インキの着色材としては、例えばペンチジンイエロー、シアニンブルー、カーボンブラック、酸化チタン等があげられる。また、造膜成分のプレポリマーとしては、例えばエポキシ（メタ）アクリレート、ウレタン（メタ）アクリレート、アルキッド（メタ）アクリレート、不飽和ポリエステル等があげられる。造膜成分のモノマーには、例えば単官能のグリシジル（メタ）アクリレート、スチレン、２-ヒドロキシエチル（メタ）アクリレート、（メタ）アクリルアミド、多官能のポリエチレングリコールジ（メタ）アクリレート、ネオペンチルグリコールジ（メタ）アクリレート、ジアリルフタレート等が該当する。
【００２５】
光重合開始剤としては、例えばベンゾフェノン、ベンジル、アントラキノン、ベンゾイン等があげられる。また、重合禁止剤は、ハイドロキシンやＮ-ニトロソ化合物等からなり、硬化までの保存安定性を確保する。また、紫外線照射装置には、一般的な紫外線ランプが使用されるが、樹脂フィルム２の変形を防止する観点から、波長が３３０〜４５０ｎｍの発光ダイオード（ＬＥＤ）を使用することもできる。
【００２６】
ワイヤ２０は、図２ないし図４に示すように、例えばφ０．４０〜０．８ｍｍ程度、通常はφ０．４５ｍｍの細長い一本の鉄線からなり、一対の樹脂層１の中央部間、換言すれば、一対の接着層３の中央部間に挟持されて長手方向に指向しており、結束帯に耐久性を付与するよう機能する。
【００２７】
上記において、結束帯を製造する場合には、先ず、着色された長尺の連続した樹脂フィルム２を一対用意し、これらのうち、一方の樹脂フィルム２の表面長手方向に模様１０を紫外線硬化型インキにより連続して印刷するとともに、この印刷した模様１０に紫外線照射装置から紫外線を照射して瞬間的（例えば、０．２〜１秒程度）に硬化させ、各樹脂フィルム２の裏面には接着層３を積層形成する。
【００２８】
樹脂フィルム２は、最終的な製品幅よりも幅の広いフィルムが採用され、例えば複数のロール間に巻架された後、模様１０を４ｍｍ幅や１２ｍｍ幅等で印刷する印刷装置等に連続して供給される。模様１０の印刷に際しては、弾性を有する柔軟な印刷版を用いるフレキソ印刷法の採用が好ましい。このフレキソ印刷法の印刷版は、グラビア印刷法の印刷版よりも安価に製作することが可能なので、コスト削減が大いに期待できる。模様１０を印刷したら、一方の樹脂フィルム２表面に透明の保護フィルムを選択的に積層粘着し、この別体の保護フィルムにより、印刷した模様１０を外部から保護するようにしても良い。
【００２９】
接着層３の形成に際しては、各樹脂フィルム２を複数のロール間に巻架してこれらを回転させ、樹脂フィルム２の裏面に接着剤を塗布して乾燥硬化させることにより、接着層３を積層形成することができる。また、各樹脂フィルム２を複数のロール間に巻架してこれらを回転させ、樹脂フィルム２の裏面に別体の接着フィルムを重ねて粘着することにより、接着層３を形成することも可能である。
【００３０】
次いで、図５に示すように、相対向する上下一対のロール３０に樹脂フィルム２をそれぞれ巻回し、これら一対の樹脂フィルム２の対向する接着層３の中央部間にワイヤ２０を位置決め挿入し、一対のロール３０を回転させて一対の樹脂フィルム２の接着層３をワイヤ２０を介して積層する。
【００３１】
こうして一対の樹脂フィルム２を積層したら、この一対の樹脂フィルム２を下流のオーブン３１に挿通して加熱加圧し、この一対の樹脂フィルム２を接着層３により接着して一体化し、その後、フィルム状に一体化された一対の樹脂フィルム２を所定の製品幅にスリットするとともに、所定の長さにカットしてその両端部に切り欠き４をそれぞれ形成すれば、結束帯を製造することができる。
なお、所定の製品幅にスリットされたものをテープ状に巻き取り、後工程で所定の長さにカットしても良い。
【００３２】
このように製造された結束帯は、図１に示すように、菓子やパンを収納した袋６の口元に巻き付けられ、少なくとも両端部が捩ってツイスト包装される。この際、一対の樹脂フィルム２間にワイヤ２０が介在して結束保持力を発揮するので、捩じった結束帯の型崩れを簡易に防ぐことができる。
【００３３】
上記構成によれば、紫外線硬化型インキで模様１０をフレキソ印刷して硬化させ、模様１０の皮膜の強度を向上させ、剥がれにくくするので、模様１０が擦れて色落ちしたり、経時変色するのを防止することができ、しかも、模様１０の印刷後の濃度が印刷直後の濃度よりも減少する事態を有効に抑制することができる。
【００３４】
また、フレキソ印刷法により、結束帯に極小の模様１０を容易に印刷することができ、しかも、模様１０の滲み等を有効に防ぐことができる。以上により、４〜５０ｍｍ幅の狭い範囲に耐久性に優れる模様１０を適切に印刷することができる。この効果は、頻繁に指の干渉を受ける結束帯にとって、きわめて重要である。また、紫外線硬化型インキを使用して模様１０の瞬間硬化を図り、印刷した模様１０の長時間（例えば、１２時間以上）に亘る乾燥作業を省略するので、結束帯の納期を大幅に短縮することが可能になる。
【００３５】
また、模様１０を乾燥させるスプレーパウダーも不要となるので、環境衛生面で実に有益である。また、有機溶剤を使用することなく模様１０を印刷するので、臭気が実に少なく、耐久性の向上を図ることが可能になる。また、紫外線硬化型インキは、酸化重合インキと異なり、素材を選ばないので、乾燥しにくいポリエチレンテレフタレート製の樹脂フィルム２に高精細・高品質の模様１０を印刷することが可能になる。また、高価な銅版を敢えて製作する必要がないので、納期短縮の他、初期投資額の低減も大いに期待できる。
【００３６】
また、ポリエチレンテレフタレート製の樹脂フィルム２を選択して高級感や上質感を醸し出す光沢を確保するので、結束帯の意匠性や装飾性を向上させることができ、再度の使用に何ら支障を来たすことがない。また、有彩色を着色した一対の樹脂フィルム２の両端部にＶ字形の切り欠き４をそれぞれ形成し、この一対の切り欠き４の谷部５間にワイヤ２０を位置させて結束帯の全体形状を秩序化し、統一性を維持するので、秀麗さや美観を損ねることが非常に少ない。したがって、結束帯の意匠性、審美性、装飾性を著しく向上させ、遊び心や華やかさを十分に満たすことができる。
【００３７】
さらに、印刷に関する初期投資額の低減が期待できるので、模様１０を印刷した結束帯を大量に製造して投資額を回収する必要がない。したがって、少量の結束帯の製造で十分という顧客のニーズ、換言すれば、多品種小ロットの要請に簡単に対応することができる。
【００３８】
なお、上記実施形態における一対の樹脂フィルム２は、表裏で色彩が同一色でも良いし、相違しても良い。また、一対の樹脂フィルム２の両端部に略半円形の切り欠き４をそれぞれ形成しても良いし、切り欠き４を省略しても良い。また、樹脂フィルム２の表面に、必要なアルミ蒸着紙やラミネート用ペーパー等を積層し、これらの表面に模様１０を紫外線硬化型インキによりフレキソ印刷して紫外線照射しても良い。
【００３９】
また、上記実施形態では一方の樹脂フィルム２の表面に模様１０を紫外線硬化型インキによりフレキソ印刷したが、各樹脂フィルム２の表面に模様１０を紫外線硬化型インキでフレキソ印刷することもできる。また、紫外線硬化型インキには、必要に応じ、増感剤や滑剤等を添加することができる。さらに、上記実施形態では袋６の口元に結束帯を巻き付けたが、瓶の口元等に結束帯を巻き付けてツイスト包装することもできる。
【産業上の利用可能性】
【００４０】
本発明に係る結束帯及びその製造方法は、少なくとも各種の食品、家庭用品、ガーデニング用品、植物の誘引、ギフト品、嗜好品等を取り扱う分野で使用することができる。
【符号の説明】
【００４１】
１        樹脂層
２        樹脂フィルム
３        接着層
４        切り欠き
５        谷部
６        袋
１０      模様
２０      ワイヤ
【図１】
2013052891.tif 000003
【図２】
2013052891.tif 000004
【図３】
2013052891.tif 000005
【図４】
2013052891.tif 000006
【図５】
2013052891.tif 000007